(57)【要約】【課題】芝の輸送や販売する場合は、地面から剥離ができる様に土付きの根切りされた状態で、かつ、所定の短冊寸法にカットしてある地面上のカット芝を拾い集め、更に、複数枚積重ねた状態にして紐で十字結束しなければならないが、この作業は中腰で、多数の重量のあるカット芝を拾い集めるのは重労働を伴う。しかも、複数枚積重ねて紐による十字結束も人為作業であり、カット芝の収穫作業を機械化して省力化することである。【解決手段】自走式運搬車等に地面上のカット芝を掬い上げ搬送用ローラーコンベア部（２）に送るピックアップ部（１）、搬送されてくるカット芝を取り込みカーリングしながらロール状に巻き上げて排出する装置（３）、ロール状に巻き上げられカット芝をロール方向に紐で結束しロール状に結束されたカット芝を排出する機能も備えた結束部（４）で構成する。【選択図】  図１
2004321148.tif 000002
【特許請求の範囲】
【請求項１】
あらかじめ芝生を、地面から剥離ができる様に土付きで根切りし、かつ、所定の短冊寸法にカットしてある地面上のカット芝を、短辺方向から掬い上げ、取り込みながら次工程へ送り出す掻き揚げ機能をもった送り装置（５）を備えたピックアップ部（１）、送り装置（５）を備えた搬送部（２）、搬送されてくるカット芝を取り込みながらカーリングしてロール状に巻き上げて排出するロール部（３）、紐結束機に、ロール方向に所定の位置に結束させるための送り機能と、ロール形状に結束されたカット芝を紐結束機から排出し地面上に搬送する機能を備えた結束部（４）、で構成されたカット芝収穫機。
【発明の詳細な説明】
【０００１】
【発明の属する分野】
本発明は、ソードカッター等の専用機であらかじめ芝生を、地面から剥離ができる様に土付きで根切りし、かつ、所定の短冊寸法にカットしてある地面上のカット芝を、掬い上げてロール状に巻き上げた形状にして紐結束するためのカット芝収穫機に関するものである。
【０００２】
【従来の技術】
芝の輸送や販売する場合には、先ず、芝生を、地面から剥離ができる様に土付きで根切りし、かつ、所定の短冊寸法にカットしてある地面上のカット芝を、拾い集め、更に、複数枚積重ねた状態にして紐で十字結束しなければならなかった。そこで、地面に生えている芝を地面から剥離ができる様に土付きで根切りし、かつ、所定の短冊寸法にカットするカット芝は、ソードカッター等の専用機で行う。それから、カット芝を拾い集め、更に複数枚積重ねた状態にして紐で十字結束する一連の収穫作業は、従来ではその収穫作業を人為作業に頼っていた。
【０００３】
【発明が解決しようとする課題】
しかしながら、地面にあるカット芝は根切りの部分に土が付着しており重量もあり、しかも中腰で多数のカット芝を拾い集めるのは重労働を伴い大変である。
更に、複数枚積重ねて紐による十字結束も人為作業であり、カット芝の収穫作業を機械化して省力化、省人化されることが望まれている。本発明の目的は、地面上にあるカット芝を掬い上げから結束まで可能なカット芝収穫機を実現して提供することにある。
【０００４】
【課題を解決するための手段】
上記課題を解決するために本発明は、自走式運搬車等の自走機体に、あらかじめ芝生を、地面から剥離ができる様に土付きで根切りし、かつ、所定の短冊寸法にカットしてある地面上のカット芝を、短辺方向から掬い上げ、取り込みながら次工程へ送り出す掻き揚げ機能をもった送り装置を備えたピックアップ部、送り装置を備えた搬送部、搬送されてくるカット芝を取り込みながらカーリングしてロール状に巻き上げて排出するロール部、紐結束機に、ロール方向に所定の位置に結束させるための送り機能と、ロール形状に結束されたカット芝を紐結束機から排出し地面上に搬送する機能を備えた結束部で、カット芝収穫機を構成し、カット芝を掬い上げから結束まで行うことを提供しすることで上記課題を解決する。
【０００５】
【実施例】
以下、本発明の実施例を図面に基づいて説明する。操作レバー６ｄ、エンジン６ｆ、ミッション６ｇ、エヤーコンプレッサー６ｅ、車輪６ｈ、６ｉ、動力伝達装置等をはじめ図２に示してあるような各種の装備を備えた自走機体６がある。
搬送部２はローラ２ｂと左右にあるフレーム２ａでローラコンベア２ｃを構成しフレーム２ａにはカット芝７ａの送り装置５が複数箇所に取り付けられている。
ピックアップ部１に設けられた連結板１ｄに取り付けられているベアリング内蔵のブッシュ１ｅをローラコンベアのフレーム２ａにベアリング内蔵のブッシュ５ｅを介して取り付けられている先端部の送り装置５の回転軸５ａに挿入する方法でピックアップ部１と搬送部２を接続している。非作業時にはピックアップ部１を搬送部２側へ回転収納も出来る様になっており作業時はストッパー１ｃがフレーム２ａの端面に当たり掬い板１ａの先端が地面に食い込まないようになっている。又ピックアップ部１と搬送部２に取り付けられている搬送装置５のタイミングプーリ５ｃはタイミングベルト５ｄでそれぞれ接続されている。ロール部３のロール支持板３ａにはベアリング内臓のブッシュ３ｅが取り付けてある連結板３ｃが固定されている。ロール支持板３ｂにはベアリング内臓のブッシュ３ｋが固定されており回転軸３ｊを介してロール支持板３ａと３ｂは接続され、ロール支持板３ａと３ｂ間に取り付けられたエアシリンダ３ｄの作動によりロール支持板３ｂは回転軸３ｊを支点として開閉出来るようにしている。ロール支持板３ａはローラコンベアのフレーム２ａの終端部にボルト３ｆにより固定し接続されている。結束部４は、エヤシリンダ４ｇのロッドの先端には排出板４ｑを取り付け結束終了後に結束芝７ｂを作業台４ｆから後方の搬出用ローラコンベア４ｐ送る排出用エヤシリンダ４ｇが取り付けられた紐結束機４ｂと、搬入ローラコンベア４ｉのフレーム４ｈにはエアシリンダ４ｋ・４ｌとエヤシリンダガイド棒４ｊ・カット芝送り板４ｍ・４ｎとでロール状に巻き上げられたカット芝の２段階搬送装置を載せた搬入用ローラコンベア４ｉと、結束芝７ｂがスムーズに地面に落ちるように傾斜をつけて搬出用ローラコンベア４ｐとが、それぞれアングル４ａに取り付けられている。図１に示すようにピックアップ部１、搬送部２、ロール部３、結束部４、送り装置５を適切な接続と配置をすることによって、図７に示すように事前処理されたカット芝７ａは地面から掬い上げられ、短冊形状から図８に示すようにロール状にして紐結束７ｃまで行うカット芝収穫機となる。前述した自走機６のアタッチメントアングル６ａに搬送部２のローラコンベアを構成しているフレーム２ａと結束部４のアングル４ａをそれぞれボルト６ｂ、６ｃで固定して、カット芝収穫機を搭載し、エンジンからの回転動力出力を得るように各部を接続することによって、事前処理されたカット芝を自動結束することが出来る。次にカット芝７ａがロール状の紐結束７ｃされるまで説明する。
【０００６】
図７に示すように、地面から剥離ができる様に土付きで根切りし、かつ、所定の短冊寸法にカットしたカット芝７ａが地面上に置かれている。図１・図２に示すように自走機体６を進行させてピックアップ部１の掬い板１ａの先端部をカット芝７ａの短辺方向から地面から剥離させるように挿入する。送り装置５の掻き上げ爪５ｂの長さはカット芝７ａに食い込むように作成し回転軸５ａに複数取り付け、カット芝７ａの取り込みと掻き上げ速度を、自走機体６の進行速度と同じになるように回転軸５ａの回転数は設定されている、またカット芝７ａの長辺部をガイド部１ｂに沿わすことが出来るのでカット芝７ａを確実に地面から掬い上げ、取り込みと掻き上げ作業を行って搬送部２へ送る。搬送部２はカット芝７ａの重量と長さ及びピックアップ部１での取り込みと掻き上げの負担を軽くし、確実に搬送するために送り装置５をロールコンベア２ｃに前部、中央部、後部に配置してロール部３に搬送する。図５に示すようにロール支持板３ａ、３ｂの内側に取り付けられたチェーンスプロッケット３ｉ、３ｈに巻き張られたチェーンコンベア３ｆには、多数のコ字形状の桟橋３ｇが左右の相対するチェーンコンベア３ｆにロール支持板３ａ側は外向きに、ロール支持板３ｂ側は内向きに解放部が向くように固定されている。またロール支持板３ａ、３ｂの上部にあるチェーンスプロッケット３ｉの軸３ｊのタイミングプーリ３ｌ間はタイミングベルト３ｍで接続しチェーンコンベア３ｆの移動を同期化してある。ロール支持板３ａ側とロール支持板３ｂ側にあるそれぞれのチェーンコンベア３ｆによりロール部３に送り込まれるカット芝７ａを取り込みながらカーリングしロール状にすることが出来る。ロール状に巻き上げられたカット芝７ａはエヤシリンダ３ｄにより回転軸３ｊを支点としてロール支持板３ｂの下部が解放され結束部４の搬入用ローラコンベア４ｉに自然落下させる。図６に示すように結束部４の搬入用ロールコンベア４ｉ上のロール状に巻き上げられたカット芝７ａは２段階送り装置で紐結束機４ｂに送りロール方向に第１結束７ｃ、第２結束７ｄを行い、排出用エヤシリンダ４ｇにより紐結束機４ｂの後部に取り付けられた搬出用ローラコンベア４ｐに送れば地面上には、図７に示す短冊形状のカット芝７ａが図８に示すようにロール状に巻き上げて紐結束されたロール状カット芝７ｂが収穫出来る。
【０００７】
【発明の効果】
本発明は、カット芝の収穫を人為的作業から機械的な作業に転換する事によって、中腰で多数のカット芝を拾い集める重労働から解放し、人為的な十字紐結束作業が無くなるので省力化、省人化にもなり、作業者の健康不安を解消し、芝生の生産・販売における合理化と経済性を提供するものである。
【図面の簡単な説明】
【図１】カット芝収穫機の全体平面図
【図２】カット芝収穫機を自走機体に搭載した全体側面図
【図３】ピックアップ部と搬送部の接続を示す平面図
【図４】搬送部とロール部の接続、ロール支持板の接続平面図
【図５】ロール部の内部構造平面図
【図６】結束部の平面図
【図７】地面上に置かれたカット芝の平面図
【図８】紐結束されたカット芝の収穫形状の斜視図
【符号の説明】
１    ピックアップ部
１ａ  掬い板
２    搬送部
３    ロール部
３ａ  ロール支持板
３ｂ  ロール支持板
３ｇ  コ字形桟橋
４    結束部
５    送り装置
【図１】
2004321148.tif 000003
【図２】
2004321148.tif 000004
【図３】
2004321148.tif 000005
【図４】
2004321148.tif 000006
【図５】
2004321148.tif 000007
【図６】
2004321148.tif 000008
【図７】
2004321148.tif 000009
【図８】
2004321148.tif 000010